【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
グラフィカルオブジェクトを暗号化する方法であって、
暗号化装置において、
前記グラフィカルオブジェクトを受信するステップと、
秘密鍵を用いて秘密ファンクションセットを生成するステップと
前記秘密ファンクションセットから暗号化ファンクションを選択するステップと、
暗号化されたグラフィカルオブジェクトを取得するため、前記暗号化ファンクションを用いて前記グラフィカルオブジェクトを暗号化するステップと、
前記暗号化されたグラフィカルオブジェクトと前記選択された暗号化ファンクションの表示とを出力するステップと、
を有する方法。
【請求項２】
前記選択するステップは、
プロテクトされたグラフィカルオブジェクトセットを取得するため、前記秘密ファンクションセットのファンクションを前記グラフィカルオブジェクトに適用するステップと、
所与の適合度メトリックを充足するプロテクトされたグラフィカルオブジェクトを提供したファンクションを選択するステップと、
を有する、請求項１記載の方法。
【請求項３】
前記暗号化するステップは、前記暗号化ファンクションに対応する変更されたグラフィカルオブジェクトを選択することを含む、請求項２記載の方法。
【請求項４】
前記グラフィカルオブジェクトは、３次元オブジェクトである、請求項１記載の方法。
【請求項５】
前記秘密ファンクションセットは、前記グラフィカルオブジェクトの内在的パラメータである少なくとも１つの適応化パラメータをさらに利用して生成される、請求項１記載の方法。
【請求項６】
暗号化されたグラフィカルオブジェクトを解読する方法であって、
解読装置において、
前記暗号化されたグラフィカルオブジェクトを受信するステップと、
前記暗号化されたグラフィカルオブジェクトを暗号化するのに利用された暗号化ファンクションの表示を受信するステップと、
秘密鍵と前記表示とを用いて解読ファンクションを生成するステップと、
解読されたグラフィカルオブジェクトを取得するため、前記解読ファンクションを用いて前記暗号化されたグラフィカルオブジェクトを解読するステップと、
前記解読されたグラフィカルオブジェクトを出力するステップと、
を有する方法。
【請求項７】
前記グラフィカルオブジェクトは、３次元オブジェクトである、請求項６記載の方法。
【請求項８】
少なくとも１つの適応化パラメータを受信するステップをさらに有し、
前記解読ファンクションは、前記グラフィカルオブジェクトの内在的パラメータである前記少なくとも１つの適応化パラメータを用いて生成される、請求項６記載の方法。
【請求項９】
グラフィカルオブジェクトを暗号化する暗号化装置であって、
前記グラフィカルオブジェクトを受信し、暗号化されたグラフィカルオブジェクトと選択された暗号化ファンクションの表示とを出力するよう構成されるインタフェースと、
秘密鍵を用いて秘密ファンクションセットを生成し、前記秘密ファンクションセットから前記暗号化ファンクションを選択し、前記暗号化されたグラフィカルオブジェクトを取得するため、前記暗号化ファンクションを用いて前記グラフィカルオブジェクトを暗号化するよう構成されるプロセッサと、
を有する暗号化装置。
【請求項１０】
前記プロセッサは、
プロテクトされたグラフィカルオブジェクトセットを取得するため、前記秘密ファンクションセットのファンクションを前記グラフィカルオブジェクトに適用し、
所与の適合度メトリックを充足するプロテクトされたグラフィカルオブジェクトを提供したファンクションを選択する、
ことによって前記暗号化ファンクションを選択するよう構成される、請求項９記載の暗号化装置。
【請求項１１】
前記プロセッサは、前記暗号化ファンクションに対応する変更されたグラフィカルオブジェクトを選択することによって、前記グラフィカルオブジェクトを暗号化するよう構成される、請求項１０記載の暗号化装置。
【請求項１２】
暗号化されたグラフィカルオブジェクトを解読する解読装置であって、
前記暗号化されたグラフィカルオブジェクトを受信し、前記暗号化されたグラフィカルオブジェクトを暗号化するのに利用された暗号化ファンクションの表示を受信し、解読されたグラフィカルオブジェクトを出力するよう構成されるインタフェースと、
秘密鍵と前記表示とを用いて解読ファンクションを生成し、前記解読されたグラフィカルオブジェクトを取得するため、前記解読ファンクションを用いて前記暗号化されたグラフィカルオブジェクトを解読するよう構成されるプロセッサと、
を有する解読装置。
【請求項１３】
前記グラフィカルオブジェクトは、３次元オブジェクトである、請求項１２記載の解読装置。
【請求項１４】
プロセッサにより実行されると、請求項１乃至８何れか一項記載の方法を実行する命令を含むコンピュータプログラム。
【手続補正２】
【補正対象書類名】明細書
【補正対象項目名】００６８
【補正方法】変更
【補正の内容】
【００６８】
実施例の説明と（適切である場合）請求項及び図面とに開示された各特徴は、独立に又は何れか適切な組み合わせにより提供されてもよい。ハードウェアにより実現されるものとして説明される特徴はまた、ソフトウェアにより実現されてもよいし、その反対であってもよい。請求項に出現する参照番号は、単なる例示であり、請求項の範囲に対する限定的な効果を有するものでない。
ここでいくつかの付記を記載する。
（付記１）
グラフィカルオブジェクトを暗号化する方法であって、
暗号化装置において、
前記グラフィカルオブジェクトを受信するステップと、
秘密鍵を用いて秘密ファンクションセットを生成するステップと
前記秘密ファンクションセットから暗号化ファンクションを選択するステップと、
暗号化されたグラフィカルオブジェクトを取得するため、前記暗号化ファンクションを用いて前記グラフィカルオブジェクトを暗号化するステップと、
前記暗号化されたグラフィカルオブジェクトと前記選択された暗号化ファンクションの表示とを出力するステップと、
を有する方法。
（付記２）
前記選択するステップは、
プロテクトされたグラフィカルオブジェクトセットを取得するため、前記秘密ファンクションセットのファンクションを前記グラフィカルオブジェクトに適用するステップと、
所与の適合度メトリックを充足するプロテクトされたグラフィカルオブジェクトを提供したファンクションを選択するステップと、
を有する、付記１記載の方法。
（付記３）
前記暗号化するステップは、前記暗号化ファンクションに対応する変更されたグラフィカルオブジェクトを選択することを含む、付記２記載の方法。
（付記４）
前記グラフィカルオブジェクトは、３次元オブジェクトである、付記１記載の方法。
（付記５）
前記秘密ファンクションセットは、前記グラフィカルオブジェクトの内在的パラメータである少なくとも１つの適応化パラメータをさらに利用して生成される、付記１記載の方法。
（付記６）
暗号化されたグラフィカルオブジェクトを解読する方法であって、
解読装置において、
前記暗号化されたグラフィカルオブジェクトを受信するステップと、
前記暗号化されたグラフィカルオブジェクトを暗号化するのに利用された暗号化ファンクションの表示を受信するステップと、
秘密鍵と前記表示とを用いて解読ファンクションを生成するステップと、
解読されたグラフィカルオブジェクトを取得するため、前記解読ファンクションを用いて前記暗号化されたグラフィカルオブジェクトを解読するステップと、
前記解読されたグラフィカルオブジェクトを出力するステップと、
を有する方法。
（付記７）
前記グラフィカルオブジェクトは、３次元オブジェクトである、付記６記載の方法。
（付記８）
少なくとも１つの適応化パラメータを受信するステップをさらに有し、
前記解読ファンクションは、前記グラフィカルオブジェクトの内在的パラメータである前記少なくとも１つの適応化パラメータを用いて生成される、付記６記載の方法。
（付記９）
グラフィカルオブジェクトを暗号化する暗号化装置であって、
前記グラフィカルオブジェクトを受信し、暗号化されたグラフィカルオブジェクトと選択された暗号化ファンクションの表示とを出力するよう構成されるインタフェースと、
秘密鍵を用いて秘密ファンクションセットを生成し、前記秘密ファンクションセットから前記暗号化ファンクションを選択し、前記暗号化されたグラフィカルオブジェクトを取得するため、前記暗号化ファンクションを用いて前記グラフィカルオブジェクトを暗号化するよう構成されるプロセッサと、
を有する暗号化装置。
（付記１０）
前記プロセッサは、
プロテクトされたグラフィカルオブジェクトセットを取得するため、前記秘密ファンクションセットのファンクションを前記グラフィカルオブジェクトに適用し、
所与の適合度メトリックを充足するプロテクトされたグラフィカルオブジェクトを提供したファンクションを選択する、
ことによって前記暗号化ファンクションを選択するよう構成される、付記９記載の暗号化装置。
（付記１１）
前記プロセッサは、前記暗号化ファンクションに対応する変更されたグラフィカルオブジェクトを選択することによって、前記グラフィカルオブジェクトを暗号化するよう構成される、付記１０記載の暗号化装置。
（付記１２）
暗号化されたグラフィカルオブジェクトを解読する解読装置であって、
前記暗号化されたグラフィカルオブジェクトを受信し、前記暗号化されたグラフィカルオブジェクトを暗号化するのに利用された暗号化ファンクションの表示を受信し、解読されたグラフィカルオブジェクトを出力するよう構成されるインタフェースと、
秘密鍵と前記表示とを用いて解読ファンクションを生成し、前記解読されたグラフィカルオブジェクトを取得するため、前記解読ファンクションを用いて前記暗号化されたグラフィカルオブジェクトを解読するよう構成されるプロセッサと、
を有する解読装置。
（付記１３）
前記グラフィカルオブジェクトは、３次元オブジェクトである、付記１２記載の解読装置。
（付記１４）
プロセッサにより実行されると、付記１乃至５何れか一項記載の方法を実行する命令を格納した非一時的な計算可能な可読記憶媒体。
（付記１５）
プロセッサにより実行されると、付記６乃至８何れか一項記載の方法を実行する命令を格納した非一時的な計算可能な可読記憶媒体。